(57)【要約】【課題】プリンタを前方に引き出したり、イメージスキャナを高く支持したり後方に配置したりすることなく、用紙の取出し易さを向上させること。【解決手段】排出トレイＴＲhが上面に形成されたプリンタＵ２と、前面の上部に前方に突出して設けられた操作パネルＰＡと、下面の前後方向中央部および後部に設けられて下面前部１７よりも下方に突出する下方突出部１６とを有するイメージスキャナＵ３と、前記プリンタＵ２が下部に連結されるとともに前記プリンタＵ２上面の排出トレイＴＲhの上方に、前記イメージスキャナＵ３を支持する天板Ｕ１aを有するラックＵ１とを備え、天板Ｕ1aは前記下面前部１７を支持する前側の下面前部支持部２が、その後側の前記下方突出部１６を支持する下方突出部支持部１よりも高く形成された画像形成装置。【選択図】図３
2008219939.tif 000002
【特許請求の範囲】
【請求項１】
次の要件（Ｂ01）〜（Ｂ06）を備えたことを特徴とする画像形成装置、
（Ｂ01）上面に排出トレイを有し、入力された画像データに応じた画像を記録シートに記録して前記排出トレイに排出する画像記録装置、
（Ｂ02）前記排出トレイの上方に記録シート取出空間を形成するように配置されるとともに、前記記録シート取出空間の前側部分が広く形成されるように、下面前部が下面後部よりも高い位置に配置され、且つ、前記下面前部と前記下面後部との間に形成された前方に行くに従って上方に傾斜する傾斜面または前記下面前部と前記下面後部との間に形成された前側後側よりも高くなる段部が形成された画像読取装置、
（Ｂ03）原稿画像を読み取って画像データに変換し前記画像データを前記画像記録装置に出力する前記画像読取装置、
（Ｂ04）入力された画像データに応じたトナー像を形成するトナー像形成装置と、前記トナー像を記録シートに転写する転写器と、前記記録シート上のトナー像を定着する定着装置と、トナー像が定着された記録シートが排出される前記排出トレイとを備え、前記排出トレイが上面に形成されたプリンタにより構成された画像記録装置、
（Ｂ05）上面にプラテンガラスを有し、前記プラテンガラス上に下向きに載置された原稿を移動しながら読取る走査光学系を有する原稿画像読取部材と、
前記走査光学系を駆動するモータおよび駆動用電源回路を有する読取駆動装置と、
前記原稿画像読取部材で読み取った原稿画像信号を画像処理してデジタルな画像データを作成し、作成した画像データを前記プリンタに出力するＩＰＳ（イメージプロセッシングシステム）を構成する画像処理回路基板と、
前面の上部に前方に突出して設けられた操作パネルと、
を有するイメージスキャナにより構成された前記画像読取装置、
（Ｂ06）前記プリンタが下部に配置されるとともに前記プリンタ上面の前記排出トレイの上方に配置された前記イメージスキャナ。
【請求項２】
次の要件（Ｂ08）を備えたことを特徴とする請求項１に記載の画像形成装置、
（Ｂ08）前記画像処理回路基板を内側に収容する前記下面後部。
【発明の詳細な説明】
【技術分野】
【０００１】
本発明は複写機やＦＡＸ（ファクシミリ装置）等の画像形成装置に関し、特に、入力された画像データに応じた画像を記録シートに形成し、上面に設けた排出トレイに排出するプリンタと、前記排出トレイ上方に設けた天板上に支持したイメージスキャナとを備えた画像形成装置に関する。
【背景技術】
【０００２】
前記種類の画像形成装置として従来次の技術（Ｊ01），（Ｊ02）が知られている。
（Ｊ01）特開平７−２１９２９８号公報記載の技術
この公報には、上面に排出トレイを有し、画像記録した記録シートを前記排出トレイに排出するプリンタと、前記排出トレイ上方に配置した天板上に支持されたイメージスキャナとを有する画像形成装置が示されている。
またこの公報には、排出された記録シートの取出し易さおよび記録シートの視認性を確保するためにプリンタを前方に（操作者の手前側に）引き出したり、イメージスキャナを高く支持する技術が開示されている。
【０００３】
（Ｊ02）特開平８−３３９１０６号公報記載の技術
この公報には、上面に排出トレイを有し、画像記録した記録シートを前記排出トレイに排出するプリンタと、前記排出トレイ上方にイメージスキャナを配置した画像形成装置が示されている。
またこの公報には、イメージスキャナの中心位置をプリンタの用紙排出位置に対して後方にずらして配置し、操作部が前方に突出しないように配置するとともに排出トレイに排出された記録シートの視認性と取出し易さとを向上させた構成が記載されている。
【０００４】
【特許文献１】特開平７−２１９２９８号公報
【特許文献２】特開平８−３３９１０６号公報
【発明の開示】
【発明が解決しようとする課題】
【０００５】
（前記（Ｊ01）の技術の問題点）
前記（Ｊ01）の技術では、次の問題点がある。
（１）プリンタを前方に（操作者の手前側に）引き出す構成とした場合には、画像形成装置の設置必要面積が大きくなる。
（２）イメージスキャナを高く支持した場合には、イメージスキャナに原稿をセットする操作性が損なわれる。
【０００６】
（前記（Ｊ02）の技術の問題点）
前記（Ｊ02）の技術では、次の問題点がある。
（１）プリンタに比べてイメージスキャナが後方に突出するため、プリンタの後面を壁に隣接して配置することができないので、プリンタ後面と壁との間に無駄な空間が形成される。また、プリンタに対するイメージスキャナの支持構造が複雑である。
【０００７】
本発明は、前記問題点に鑑み、上面に用紙排出トレイを有するプリンタとその上方に配置したイメージスキャナとを備えた画像形成装置において、下記（Ｏ01）の記載内容を課題とする。
（Ｏ01）プリンタを前方に引き出したり、イメージスキャナを高く支持したり後方に配置したりすることなく、用紙の取出し易さを向上させること。
【課題を解決するための手段】
【０００８】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
【０００９】
前記課題を解決するために、請求項１に記載の発明の画像形成装置は、次の要件（Ｂ01）〜（Ｂ06）を備えたことを特徴とする、
（Ｂ01）上面に排出トレイ（ＴＲh）を有し、入力された画像データに応じた画像を記録シート（Ｓ）に記録して前記排出トレイ（ＴＲh）に排出する画像記録装置（Ｕ２）、
（Ｂ02）前記排出トレイ（ＴＲh）の上方に記録シート取出空間を形成するように配置されるとともに、前記記録シート取出空間の前側部分が広く形成されるように、下面前部が下面後部よりも高い位置に配置され、且つ前記下面前部と前記下面後部との間に形成された前方に行くに従って上方に傾斜する傾斜面または前記下面前部と前記下面後部との間に形成された前側が後側よりも高くなる段部が形成された画像読取装置（Ｕ３）、
（Ｂ03）原稿画像を読み取って画像データに変換し前記画像データを前記画像記録装置（Ｕ２）に出力する前記画像読取装置（Ｕ３）、
（Ｂ04）入力された画像データに応じたトナー像を形成するトナー像形成装置（ＰＲ＋ＣＲ＋ＬＤ＋ＲＯＳ＋Ｇ＋Ｔ１＋Ｂ）と、前記トナー像を記録シート（Ｓ）に転写する転写器（Ｔ２）と、前記記録シート（Ｓ）上のトナー像を定着する定着装置（Ｆ）と、トナー像が定着された記録シート（Ｓ）が排出される前記排出トレイ（ＴＲh）とを備え、前記排出トレイ（ＴＲh）が上面に形成されたプリンタ（Ｕ２）により構成された画像記録装置（Ｕ２）、
（Ｂ05）上面にプラテンガラス（ＰＧ）を有し、前記プラテンガラス（ＰＧ）上に下向きに載置された原稿（Ｇi）を移動しながら読取る走査光学系（Ａ）を有する原稿画像読取部材（Ａ＋１３＋ＣＣＤ）と、
前記走査光学系（Ａ）を駆動するモータおよび駆動用電源回路を有する読取駆動装置（ＤＳ）と、
前記原稿画像読取部材（Ａ＋１３＋ＣＣＤ）で読み取った原稿画像信号を画像処理してデジタルな画像データを作成し、作成した画像データを前記プリンタ（Ｕ２）に出力するＩＰＳ（イメージプロセッシングシステム）を構成する画像処理回路基板と、
前面の上部に前方に突出して設けられた操作パネル（ＰＡ）と、
を有するイメージスキャナ（Ｕ３）により構成された前記画像読取装置（Ｕ３）、
（Ｂ06）前記プリンタ（Ｕ２）が下部に連結されるとともに前記プリンタ（Ｕ２）上面の前記排出トレイ（ＴＲh）の上方に配置された前記イメージスキャナ（Ｕ３）。
【００１０】
（請求項１に記載の発明の作用）
前記構成を備えた請求項１に記載の発明の画像形成装置では、原稿読取装置（Ｕ３）は、原稿画像を読み取って画像データに変換し、前記画像データを画像記録装置（Ｕ２）に出力する。
上面に排出トレイ（ＴＲh）を有する画像記録装置（Ｕ２）は、入力された画像データに応じた画像を記録シート（Ｓ）に記録して前記排出トレイ（ＴＲh）に排出する。
前記画像読取装置（Ｕ３）は、前記排出トレイ（ＴＲh）の上方に記録シート取出空間を形成するように配置され、下面前部が下面後部よりも高い位置に配置されているので、前記記録シート取出空間の前側部分が広く形成される。このため、前記排出トレイ（ＴＲh）に排出された記録シート（Ｓ）の取出しが容易になる。また、画像読取り装置（Ｕ３）は、前記下面前部と前記下面後部との間に形成された前方に行くに従って上方に傾斜する傾斜面または前記下面前部と前記下面後部との間に形成された前側が後側よりも高くなる段部が形成されているので、前記排出トレイ（ＴＲh）に排出された記録シート（Ｓ）の取出しが容易になる。
【００１１】
イメージスキャナ（Ｕ３）のモータおよび駆動用電源回路を含む読取駆動装置（ＤＳ）は、走査光学系（Ａ）を駆動する。走査光学系（Ａ）を有する原稿画像読取部材（Ａ＋１３＋ＣＣＤ）は、上面のプラテンガラス（ＰＧ）上に下向きに載置された原稿（Ｇi）を移動しながら読取る。
イメージスキャナ（Ｕ３）の画像処理回路基板により構成されるＩＰＳ（イメージプロセッシングシステム）は、前記原稿画像読取部材（Ａ＋１３＋ＣＣＤ）で読み取った原稿画像信号を画像処理してデジタルな画像データを作成し、作成した画像データをプリンタ（Ｕ２）に出力する。
プリンタのトナー像形成装置（ＰＲ＋ＣＲ＋ＬＤ＋ＲＯＳ＋Ｇ＋Ｔ１＋Ｂ）は入力された画像データに応じたトナー像を形成する。転写器（Ｔ２）は前記トナー像を記録シート（Ｓ）に転写する。定着装置（Ｆ）は前記記録シート（Ｓ）上のトナー像を定着する。トナー像が定着された記録シート（Ｓ）はプリンタ（Ｐ）上面に形成された排出トレイ（ＴＲh）に排出される。
【００１２】
前記イメージスキャナ（Ｕ３）は、前面の上部に前方に突出して設けられた操作パネル（ＰＡ）を有する。
前記イメージスキャナ（Ｕ３）の下面前部（１７）の高さが高くなっているため、前記プリンタ（Ｕ２）上面の排出トレー（ＴＲh）の上方空間は、前側が高く、中央部および後部が低くなっている。このため、排出トレイ（ＴＲh）の視認性が良く、記録シート（Ｓ）の取出作業の作業性が良くなる。
【００１３】
なお、前記イメージスキャナ（Ｕ３）の下面後部が低いため、前記プリンタ（Ｕ２）上面の排出トレイ（ＴＲh）の前後方向の中央部および後部の上方空間は、前部に比較して低いが、前記中央部および後部は、その上方空間が低くても、前記視認性および作業性に悪影響を与えることはない。そして、前記イメージスキャナ（Ｕ３）の下面後部を低くしているので、イメージスキャナ（Ｕ３）の高さが高くならない。
このため、イメージスキャナ（Ｕ３）に設けた操作パネル（ＰＡ）の高さが高くならないので、操作パネル（ＰＡ）の操作性が低下することもない。
【００１４】
請求項２に記載の発明は、前記請求項１記載の発明において次の要件（Ｂ08）を備えたことを特徴とする、
（Ｂ08）前記画像処理回路基板を内側に収容する前記下面後部。
【００１５】
前記構成を備えた請求項２に記載の発明の画像形成装置では、前記ＩＰＳを構成する画像処理回路基板は、前記イメージスキャナ（Ｕ３）の下面後部の内側に収容される。このため、イメージスキャナ（Ｕ３）内部の空間を有効に利用できる。
【発明の効果】
【００１６】
前述の本発明の画像形成装置は、次の効果を奏する。
（Ｅ01）上面に用紙排出トレイを有するプリンタとその上方に配置したイメージスキャナとを備えた画像形成装置において、プリンタを前方に引き出したり、イメージスキャナを高く支持したり、後方に配置したりすることなく、用紙の取出し易さを向上させることができる。
【発明を実施するための最良の形態】
【００１７】
（実施例）
次に図面を参照しながら、本発明の画像形成装置の実施の形態の具体例（実施例）を説明するが、本発明は以下の実施例に限定されるものではない。
なお、以後の説明の理解を容易にするために、図面において、前後方向をＸ軸方向、右左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１８】
（実施例１）
図１は本発明の実施例１の画像形成装置の斜視図である。図２は同実施例１の画像形成装置の正断面図である。図３は前記図２の矢印III−IIIから見た図である。
図１〜図３において、画像形成装置Ｕは、天板Ｕ１aを有するラックＵ１、前記ラック下部に連結されたプリンタ（画像記録装置）Ｕ２、前記天板Ｕ１a上面に支持されたイメージスキャナ（画像読取装置）Ｕ３、および前記イメージスキャナＵ３上面に配置された自動原稿搬送装置Ｕ４を有している。
【００１９】
（ラックＵ１）
ラックＵ１は下端部にＵ字型の下端枠を有しており、Ｕ字型の下端枠は前記プリンタＵ２の下端部に連結されている。
ラックＵ１の天板Ｕ１aは、前記イメージスキャナＵ３の下面中央部および後部の下方突出部（後述）を支持する下方突出部支持部１とイメージスキャナＵ３の下面前部（後述）を支持する下面前部支持部２と傾斜部３とを有している。前記下面前部支持部２は前記下方突出部支持部１よりも高い位置に形成されている。
前記ラックＵ１の天板Ｕ１a上に支持されたイメージスキャナＵ３は、上面にプラテンガラスＰＧを有し、前記プラテンガラスＰＧ上には自動原稿搬送装置Ｕ４が支持されている。
【００２０】
（自動原稿搬送装置Ｕ４）
前記自動原稿搬送装置Ｕ４は、複写しようとする複数の原稿Ｇiが重ねて載置される原稿給紙トレイＴＧkを有している。前記原稿給紙トレイＴＧkに載置された複数の各原稿Ｇiは順次プラテンガラスＰＧ上の原稿読取位置を通過して原稿排紙トレイＴＧhに排出されるように構成されている。前記自動原稿搬送装置Ｕ４は、その後端部（−Ｘ端部）に設けた左右方向に延びるヒンジ軸（図示せず）により前記イメージスキャナＵ３に対して回動可能であり、原稿Ｇiを作業者が手でプラテンガラスＰＧ上に置く場合に上方に回動される。
【００２１】
（イメージスキャナＵ３）
前記イメージスキャナＵ３の前面の上部には、ユーザがコピースタート等の作動指令信号を入力操作する操作パネル（すなわち、ユーザインタフェース）ＰＡが前方に突出して設けられている。前記前方に突出する操作パネルＰＡは前方に行くに従って下方に傾斜しており、操作を楽に行えるように構成されている。
前記操作パネルＰＡはユーザがコピースタート等の作動指令信号を入力操作する部分であり、表示部、コピースタートキー、コピー枚数入力キー、テンキー等を有している。前記表示部には画像形成装置Ｕの現在の設定状態に関する情報の表示等が行われるようになっている。
【００２２】
イメージスキャナＵ３上面の透明なプラテンガラスＰＧの下方に配置された走査光学系Ａは、移動可能なランプユニット６を有しており、ランプユニット６は、原稿照明用のランプ７と第１ミラー８とを有している。また、走査光学系Ａは、前記ランプユニット６の移動速度の１／２の速度で移動する移動ミラーユニット９を有している。この移動ミラーユニット９は、第２ミラー１１および第３ミラー１２を有している。
前記走査光学系Ａは、その移動および停止が露光系レジセンサＳpの検出信号により制御され、常時はホーム位置に停止している。
【００２３】
前記自動原稿搬送装置（オートドキュメントフィーダＡＤＦ）Ｕ４を使用して複写を行うＡＤＦモードの場合は、前記走査光学系Ａはホーム位置に停止した状態で、プラテンガラスＰＧ上の原稿読取位置を順次通過する各原稿Ｇiを露光する。
原稿Ｇiを作業者が手でプラテンガラスＰＧ上に置いて複写を行うプラテンモードの場合、走査光学系Ａは移動しながらプラテンガラスＰＧ上の原稿を露光走査する。すなわち、前記ランプユニット６が原稿Ｇiに対して平行に図１中左右方向に移動し、前記移動ミラーユニット９が前記ランプユニット６の移動速度の１／２の速度で１／２の距離だけ移動する。そのとき、原稿Ｇiとレンズ１３との間の距離は一定に保たれるので、その間、前記ランプ２によって露光された前記原稿Ｇiからの反射光は、前記走査光学系Ａを通ってＣＣＤ（固体撮像素子）上に収束される。前記ＣＣＤは、その撮像面上に収束された原稿反射光をＲ（赤）、Ｇ（緑）、Ｂ（青）の電気信号に変換する。
前記走査光学系Ａ、レンズ１３およびＣＣＤ等により原稿画像読取部材（Ａ＋１３＋ＣＣＤ）が構成されている。
【００２４】
ＩＰＳ（イメージプロセッシングシステム）は、前記ＲＧＢの電気信号をＫ（黒）、Ｙ（イエロー）、Ｍ（マゼンタ）、Ｃ（シアン）の画像データに変換し、濃度補正、倍率補正等の画像処理を行って一時的に記憶し、前記画像データを所定のタイミングで潜像形成用の画像データとしてレーザ駆動回路ＬＤに出力する。前記ＩＰＳは画像処理回路基板により構成されている。
図３において、イメージスキャナＵ３の下面は、前後方向の中央部および後部に下方突出部１６と、前記下方突出部１６よりも高い位置に形成された下面前部１７とを有している。下方突出部１６は前記天板Ｕ１aの下方突出部支持部１に支持され、下面前部１７は前記下面前部支持部２に支持されている。
前記下方突出部１６には前記画像処理回路基板により構成されるＩＰＳが収容されている。また、イメージスキャナＵ３の前後方向の中央部には走査光学系Ａが収容されており、イメージスキャナＵ３の後部には前記走査光学系Ａを駆動するモータおよび駆動用電源回路等の読取駆動装置ＤＳが収容されている。
【００２５】
（プリンタＵ２）
前記レーザ駆動回路ＬＤは、前記ＩＰＳから入力された画像データに応じてレーザ駆動信号をＲＯＳ（ラスターアウトプットスキャン、潜像書込装置）に出力する。
感光体ドラムにより構成された像担持体ＰＲは矢印Ｙa方向に回転しており、その表面は帯電ロールＣＲにより一様に帯電された後、潜像書込位置Ｑ1において前記ＲＯＳ（潜像書込装置）のレーザビームＬにより露光走査されて静電潜像が形成される。フルカラー画像を形成する場合は、Ｋ（黒），Ｙ（イエロー），Ｍ（マゼンタ），Ｃ（シアン）の４色の画像に対応した静電潜像が順次形成され、モノクロ画像の場合はＫ（黒）画像に対応した静電潜像のみが形成される。
前記静電潜像が形成された像担持体ＰＲ表面は回転移動して現像領域Ｑ2、１次転写領域Ｑ3を順次通過する。
【００２６】
前記現像領域Ｑ2において前記静電潜像を現像するロータリ式の現像装置Ｇは、回転軸Ｇaとともに回転するＫ（黒），Ｙ（イエロー），Ｍ（マゼンタ），Ｃ（シアン）の４色の現像器ＧK，ＧY，ＧM，ＧCを有している。前記各色の現像器ＧK，ＧY，ＧM，ＧCの中のいずれかの現像器が、前記現像領域Ｑ2に回転移動して、現像領域Ｑ2を通過する像担持体ＰＲ上の静電潜像をトナー像に現像する。
前記１次転写領域Ｑ3は、矢印Ｙa方向に回転移動する中間転写ベルトＢがロール状の１次転写器Ｔ１により像担持体ＰＲ表面に圧接される領域である。前記１次転写器Ｔ１には現像装置Ｇで使用される現像用のトナーの帯電極性と逆極性の１次転写電圧が電源回路Ｅから供給される。前記電源回路ＥはコントローラＣにより制御される。
【００２７】
前記像担持体ＰＲ表面に現像されたトナー像Ｔnは前記１次転写領域Ｑ3において、１次転写器Ｔ１により中間転写ベルトＢに１次転写される。１次転写後、像担持体ＰＲ表面の残留トナーはクリーナＣＬpによりクリーニングされる。
【００２８】
前記矢印Ｙa方向に回転移動する中間転写ベルトＢは、駆動ロールＲd、テンションロールＲt、ウォーキングロールＲw、アイドラロール（フリーロール）Ｒf、およびバックアップロールＴ２aにより回転可能に支持されている。バックアップロールＴ２aに対向する位置には中間転写ベルトＢを挟んで２次転写ロールＴ２bが離隔および圧接可能（離接可能）に配置されており、前記２次転写ロールＴ２bが中間転写ベルトＢと圧接する領域（ニップ）により２次転写領域Ｑ4が形成されている。前記２次転写ロールＴ２bはロールクリーナＣＬrによりクリーニングされる。
また、前記バックアップロールＴ２aには導電性金属製のコンタクトロールＴ２cが当接している。コンタクトロールＴ２cには前記トナーの帯電極性と同極性の２次転写電圧が電源回路Ｅから供給される。前記ロールＴ２a〜Ｔ２cにより２次転写器Ｔ2が構成されている。
【００２９】
フルカラー画像を形成する場合、潜像書込位置Ｑ1において第１色目の静電潜像が形成され、現像領域Ｑ2において１色目のトナー像Ｔnが形成される。このトナー像Ｔnは、１次転写領域Ｑ3を通過する際に、１次転写器Ｔ１によって中間転写ベルトＢ上に静電的に１次転写される。その後同様にして、第１色目のトナー像Ｔnを担持した中間転写ベルトＢ上に、第２色目、第３色目、第４色目のトナー像Ｔnが順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
前記像担持体ＰＲ、帯電ロールＣＲ、レーザ駆動回路ＬＤ、潜像書込装置（ＲＯＳ、現像器ＧK，ＧY，ＧM，ＧC、１次転写器Ｔ１および中間転写ベルトＢ等によりトナー像形成装置（ＰＲ＋ＣＲ＋ＬＤ＋ＲＯＳ＋Ｇ＋Ｔ１＋Ｂ）が構成されている。
【００３０】
前記１次転写された多重トナー像または単色トナー像が２次転写領域Ｑ4に移動するのにタイミングを合わせて、給紙トレイＴＲ1〜ＴＲ3から所定のタイミングで取り出された記録シートＳが前記２次転写領域Ｑ4に搬送される。
すなわち、前記各トレイＴＲ1〜ＴＲ4の用紙Ｓは、所定のタイミングでピックアップロールＲpにより取り出され、さばきロールＲsで１枚づつ分離されて、複数の搬送ロールＲaを有するシート搬送路ＳＨ1を通ってレジロールＲrに搬送される。
前記レジロールＲrに搬送された用紙Ｓは、前記１次転写された多重トナー像または単色トナー像が２次転写領域Ｑ4に移動するのにタイミングを合わせて、２次転写領域Ｑ4に搬送される。
【００３１】
前記２次転写領域Ｑ4において２次転写器Ｔ2は、中間転写ベルトＢ上のトナー像を記録シートＳに静電的に一括して２次転写する。２次転写後の中間転写ベルトＢはベルトクリーナーＣＬbにより残留トナーが除去される。
トナー像が２次転写された記録シートＳは、定着領域Ｑ5を通過する際に、加熱ロールＦh、加圧ロールＦpを有する定着装置Ｆにより加熱定着された後、記録シート排出トレイＴＲ4に排出される。
【００３２】
定着装置Ｆの下流側に配置された切替ゲートＧＴ１は、前記定着装置Ｆを通過した用紙Ｓの搬送方向を排出トレイＴＲhまたは搬送ロールＲＡが配置された用紙反転路ＳＨ2のいずれかの方向に切り替える。
両面複写の場合には１面目のトナー像が転写された用紙Ｓは用紙反転路ＳＨ2で反転され、用紙循環路ＳＨ3を通って前記２次転写領域Ｑ4に再送され、２面目にトナー像が転写される。
【００３３】
（実施例１の作用）
前記構成を備えた本発明の画像形成装置の実施例１では、イメージスキャナＵ３のモータおよび駆動用電源回路を含む読取駆動装置ＤＳは、走査光学系Ａを駆動する。走査光学系Ａを有する原稿画像読取部材（Ａ＋１３＋ＣＣＤ）は、上面のプラテンガラスＰＧ上に下向きに載置された原稿Ｇiを移動しながら読取る。
また、プラテンガラスＰＧ上に配置された自動原稿搬送装置Ｕ４は、原稿給紙トレイＴＧkに収容された原稿Ｇiを前記プラテンガラスＰＧ上の所定の原稿読取位置を通過させて原稿排出トレイＴＧhに搬送する。前記走査光学系Ａを有するイメージスキャナＵ３は、前記原稿読取位置を通過する原稿Ｇiを所定の停止読取位置に停止した状態で読取る。
【００３４】
イメージスキャナＵ３の画像処理回路基板により構成されるＩＰＳ（イメージプロセッシングシステム）は、前記原稿画像読取部材（Ａ＋１３＋ＣＣＤ）で読み取った原稿画像信号を画像処理してデジタルな画像データを作成し、作成した画像データをプリンタＵ２に出力する。
プリンタのトナー像形成装置（ＰＲ＋ＣＲ＋ＬＤ＋ＲＯＳ＋Ｇ＋Ｔ１＋Ｂ）は入力された画像データに応じたトナー像を中間転写ベルトＢ上に形成する。
転写器Ｔ２は前記トナー像を記録シートＳに転写する。定着装置Ｆは前記記録シートＳ上のトナー像を定着する。トナー像が定着された記録シートＳはプリンタＰ上面に形成された排出トレーＴＲhに排出される。
【００３５】
前記プリンタＵ２上面の排出トレーＴＲhの上方に支持された前記天板Ｕ１aは、前記イメージスキャナＵ３の下方突出部１６を支持する下方突出部支持部１と前記イメージスキャナＵ３の下面前部を支持する下面前部支持部２とを有し、下面前部支持部２が前記下方突出部支持部１よりも高い位置に配置される。前記天板Ｕ1aの前記傾斜部３の後端位置は排出トレイＴＲhに排出される幅が最大の記録シートＳの前端位置の後側に配置されている。
したがって、前記天板Ｕ1aの下面前部支持部２の高さが高くなっているため、前記プリンタＵ２上面の排出トレーＴＲhの上方空間は、前側が高く、中央部および後部が低くなっている。このため、排出トレイＴＲhの視認性が良く、記録シートＳの取出作業の作業性が良くなる。特に、幅が最大サイズの記録シートＳの取出作業性は非常に良くなる。
【００３６】
なお、前記天板Ｕ1aの下方突出部支持部１が前記下面前部支持部２よりも低いため、前記プリンタＵ２上面の排出トレーＴＲhの前後方向の中央部および後部の上方空間は、前部に比較して低い。しかしながら、前記中央部および後部は、その上方空間が低くても、前記視認性および作業性にあまり悪影響を与えることはない。そして、前記天板Ｕ１aの下方突出部支持部１を低くし、前記低くした下方突出部支持部１により、前記イメージスキャナＵ３の下方突出部１６を支持しているので、イメージスキャナＵ３の高さが高くならない。
このため、イメージスキャナＵ３に設けた操作パネルＰＡの高さが高くならないので、操作パネルＰＡの操作性が低下することもない。
【００３７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記天板Ｕ1aは、下方突出部支持部１、下面前部支持部２および傾斜部３により構成する代わりに、前記傾斜部を省略して、下方突出部支持部１および下面前部支持部２によりそれらの境界部に段差を設けることが可能である。
【図面の簡単な説明】
【００３８】
【図１】図１は本発明の実施例１の画像形成装置の斜視図である。
【図２】図２は同実施例１の画像形成装置の正断面図である。
【図３】図３は前記図２の矢印III−IIIから見た図である。
【符号の説明】
【００３９】
Ａ…走査光学系、ＤＳ…読取駆動装置、Ｆ…定着装置、Ｇi…原稿、ＩＰＳ…イメージプロセッシングシステム、ＰＡ…操作パネル、ＰＧ…プラテンガラス、Ｔ２…転写器、ＴＧh…原稿排出トレイ、ＴＧk…原稿給紙トレイ、ＴＲh…排出トレー、Ｕ１…ラック、Ｕ１a…天板、Ｕ２…プリンタ、Ｕ３…イメージスキャナ、Ｕ４…自動原稿搬送装置、１…下方突出部支持部、２…下面前部支持部、１６…下方突出部、１７…下面前部、（Ａ＋１３＋ＣＣＤ）…原稿画像読取部材、（ＰＲ＋ＣＲ＋ＬＤ＋ＲＯＳ＋Ｇ＋Ｔ１＋Ｂ）…トナー像形成装置。
【図１】
2008219939.tif 000003
【図２】
2008219939.tif 000004
【図３】
2008219939.tif 000005